(57)【要約】【課題】挟持式ベルトコンベアが合流部でも薬剤情報印刷物を安定搬送しうる薬剤情報印刷投入装置を実現する。【解決手段】上下配置のプリンタ１１，１２から薬剤情報印刷物を下方の投入部６０へ送る印刷物搬送経路２３＋３３＋４３＋５３を、対向配置された両ベルトの間に搬送対象物を挟んで搬送するベルトコンベア２０，３０，４０，５０にて形成するとともに、印刷物搬送経路の縦の部分にベルト２２，４２の不連続による開口１５を形成し、そこを介して下方のプリンタ１２の印刷物を印刷物搬送経路へ送り込むようにし、更に、印刷物搬送経路を形成するベルト２２，３２，４２，５２のうち開口１５の対向側に位置するベルト３２については、開口１５の上端（２５）より上（３４）から開口１５の下端（４４）より下（３５）まで連続させる。【選択図】        図１
2020172316.tif 000002
【特許請求の範囲】
【請求項１】
上下に配置されていて何れも印刷用紙に薬剤情報を印刷する複数のプリンタと、それらのプリンタで作成された薬剤情報印刷物を下方へ送る印刷物搬送経路と、前記複数のプリンタより更に下方に設けられていて前記薬剤情報印刷物を薬剤の搬器へ投入する投入部とを備えた薬剤情報印刷投入装置において、
対向配置された両ベルトの間に搬送対象物を挟んで搬送するベルトコンベアにて前記印刷物搬送経路が形成されており、前記印刷物搬送経路のうち縦の部分にベルトの不連続による開口が形成されており、前記の下方のプリンタの印刷物が前記開口から前記印刷物搬送経路へ送り込まれるようになっており、前記印刷物搬送経路を形成するベルトのうち前記開口の対向側に位置するベルトが前記開口の上端より上から前記開口の下端より下まで連続していることを特徴とする薬剤情報印刷投入装置。
【請求項２】
前記ベルトコンベアの支持機構が、前記両ベルトのうち前記プリンタに近い方のベルトを支持する内側部分支持機構と、前記両ベルトのうち前記プリンタから遠い方のベルトを支持する外側部分支持機構とを具備しており、前記外側部分支持機構が可動のものであって前記の遠い方のベルトが前記の近い方のベルトに対して当接する対向位置と当接しない離隔位置との間を移動できるようになっていることを特徴とする請求項１記載の薬剤情報印刷投入装置。
【請求項３】
前記投入部が、前記印刷物搬送経路から前記薬剤情報印刷物を受け取る受止部と、前記受止部の中の薬剤情報印刷物の向きを揃える可動の整理部材と、前記受止部から前記薬剤情報印刷物を受け取って前記搬器に投入する印刷物投入機構とを具備したものであり、
前記整理部材が前記受止部に付設されており、前記印刷物搬送経路の終端位置と前記印刷物投入機構の印刷物受取位置とが離隔しており、その間を前記受止部が移動するようになっていることを特徴とする請求項１又は請求項２に記載された薬剤情報印刷投入装置。
【発明の詳細な説明】
【技術分野】
【０００１】
この発明は、印刷用紙に薬剤情報を印刷してその薬剤情報印刷物を薬剤の搬器に投入する薬剤情報印刷投入装置に関し、詳しくは、小容器等に貼り付けて用いられる貼付用ラベル等を取り扱い対象として印刷と投入とを行うのに好適な薬剤情報印刷投入装置に関する。
【背景技術】
【０００２】
薬品名などの薬剤情報を薬袋に印刷するためのプリンタを縦横に並べて多数具備するとともに、それらのプリンタに向けて張り巡らされていて印刷済み薬袋を水平搬送するベルトコンベアと水平搬送後の薬袋を落下させるシュートも具備していて、複数のプリンタにて薬袋に薬剤情報を印刷してからベルトコンベア及びシュートにて印刷済み薬袋を収集して投入ユニットへ送り込む調剤用薬剤払出装置が実用化されている（例えば特許文献１参照）。
【０００３】
また、搬器搬送路の上方にプリンタを設けるとともに、搬器搬送路から外れた所にもプリンタを設け、後者のプリンタには、掴持移載機構を付設したり、搬器搬送路への進退機構を付設した薬剤払出機用印刷装置も実用化されている（例えば特許文献２参照）。
このようなプリンタの複数化により、複数プリンタの何れも正常であれば印刷の並行処理にて多くの印刷を素早く済ませることができる他、一部のプリンタが故障等にて印刷できないときでも残りのプリンタが印刷処理を遂行できるので稼働率が高まる。
【０００４】
さらに、内部空間が小器等で区画分けされている搬器に対する区分投入を素早くできるようになった薬剤情報印刷投入装置も実用化されている（例えば特許文献３参照）。
この装置は、プリンタから送り出された薬剤情報印刷物を受け止める受板（受止部）も、この受板に載っている薬剤情報印刷物を掴持する掴持機構も、揺動可能にして、揺動タイミングの制御などで薬剤情報印刷物の受け渡しと投入とが行えるようにしたものである。この場合、薬剤情報印刷物を下方の搬器へ投入する操作が昇降と掴持にて行えるうえ、その掴持動作の前後に掴持部材を水平移動させることは必要とされないので、素早く投入できる。
【先行技術文献】
【特許文献】
【０００５】
【特許文献１】特開２０００−２４０８４号公報
【特許文献２】特開２００５−１３２５６５号公報
【特許文献３】特開２０１２−１３６２４０号公報
【発明の概要】
【発明が解決しようとする課題】
【０００６】
そして、そのような薬剤情報印刷投入装置（例えば特許文献３参照）の有用性が認識されると、区画分け搬器に対して薬剤を区分投入する薬剤払出装置等の自動機を設備した薬局等では、薬剤に加えて薬剤情報印刷物も自動投入するべく薬剤情報印刷投入装置の並設率が高まっている。そして、薬剤払出装置等の処理能力の向上に伴って、薬剤情報印刷投入装置についても処理能力の向上が求められている。そこで、かかる要求に応えるべく、区分投入用の薬剤情報印刷投入装置についても、既述した非区分投入用の薬袋印刷装置に倣って（例えば特許文献１，２参照）、プリンタを複数化することが考えられる。
【０００７】
そして、そのようなプリンタの複数化に際して装置設置面積の増加を抑制するには、プリンタをできるだけ上下に配置して、上方のプリンタから最下の投入ユニットまで印刷物搬送経路を構成するとともに、印刷物搬送経路のうち落下経路に当たる部分の途中に下方のプリンタの印刷物を受け入れる合流部を形成するのが好ましい。
既述した非区分投入用の薬袋印刷装置でも、そのような印刷物搬送経路を乗載用ベルトコンベアや落下用シュートの組み合わせにて具現化している。
【０００８】
もっとも、区分投入される薬剤情報印刷物は、薬袋よりも小さなラベル例えばボトル貼着用ラベルであることが多く、しかも、そのようなラベルの多くがラベルロール紙から印刷単位の切り離しにて作成されるうえ、ラベルロール紙では帯状連続紙のロールに対して個々に貼着用ラベル用紙が貼り付けられていることから、巻き癖が残りがちなうえ、変形しやすく直りにくいので、印刷物搬送経路が長くなると、落下用シュートや乗載用ベルトコンベアでは、ラベルの姿勢や形の乱れが大きくて、安定搬送の確保が難しい。
非区分投入用の薬剤情報印刷投入装置でも小さなラベルを扱う場合は同様である。
【０００９】
そこで、安定搬送のため、対向配置された両ベルトの間に薬剤情報印刷物を挟んで搬送する謂わば挟持式ベルトコンベアを印刷物搬送経路に採用することが良かろうと考えて、種々のラベルについて挟持式ベルトコンベアの動作確認を行ってみた。
しかしながら、挟持式ベルトコンベアであっても、稀にではあるが、上述した合流部においてラベルが巻き込まれるという不都合な事態が発生した。
そこで、挟持式ベルトコンベアが合流部でも薬剤情報印刷物を安定搬送しうる薬剤情報印刷投入装置を実現することが第１技術課題となる。
【００１０】
また、薬剤情報印刷物であるラベルが小さいとその姿勢とくに向きが搬送時等に変わり易いうえ、薬剤情報印刷物の枚数が多くてそれらの向きがバラバラだと、それらを投入前に的確に掴持するのが難しくなる。そのため、印刷物搬送経路の終端の所に位置する既述の受板やそれを拡張した受け箱といった受止部に対して、薬剤情報印刷物の向きを揃える整理部材を付設する、という対策が考えられる。
しかしながら、受止部の近傍には、印刷物搬送経路の終端部に加えて、薬剤情報印刷物を受止部から取り出して搬器へ投入するときに昇降や掴持を行う作動部材や駆動部材が密集して臨んでいるため、更なる作動部材や駆動部材を追加するのは難しく、不用意に付設すると機構の規模の拡大や投入速度の低下といった不都合を招いてしまう。
そこで、そのような不都合の無い態様で受止部に整理部材を付設することが第２技術課題となる。
【課題を解決するための手段】
【００１１】
本発明の薬剤情報印刷投入装置は（解決手段１）、上述した第１技術課題を解決するために創案されたものであり、
上下に配置されていて何れも印刷用紙に薬剤情報を印刷する複数のプリンタと、それらのプリンタで作成された薬剤情報印刷物を下方へ送る印刷物搬送経路と、前記複数のプリンタより更に下方に設けられていて前記薬剤情報印刷物を薬剤の搬器へ投入する投入部とを備えた薬剤情報印刷投入装置において、
対向配置された両ベルトの間に搬送対象物を挟んで搬送するベルトコンベアにて前記印刷物搬送経路が形成されており、前記印刷物搬送経路のうち縦の部分にベルトの不連続による開口が形成されており、前記の下方のプリンタの印刷物が前記開口から前記印刷物搬送経路へ送り込まれるようになっており、前記印刷物搬送経路を形成するベルトのうち前記開口の対向側に位置するベルトが前記開口の上端より上から前記開口の下端より下まで連続していることを特徴とする。
【００１２】
また、本発明の薬剤情報印刷投入装置は（解決手段２）、上記解決手段１の薬剤情報印刷投入装置であって、
前記ベルトコンベアの支持機構が、前記両ベルトのうち前記プリンタに近い方のベルトを支持する内側部分支持機構と、前記両ベルトのうち前記プリンタから遠い方のベルトを支持する外側部分支持機構とを具備しており、前記外側部分支持機構が可動のものであって前記の遠い方のベルトが前記の近い方のベルトに対して当接する対向位置と当接しない離隔位置との間を移動できるようになっていることを特徴とする。
【００１３】
さらに、本発明の薬剤情報印刷投入装置は（解決手段３）、上記解決手段１，２の薬剤情報印刷投入装置であって、
前記投入部が、前記印刷物搬送経路から前記薬剤情報印刷物を受け取る受止部と、前記受止部の中の薬剤情報印刷物の向きを揃える可動の整理部材と、前記受止部から前記薬剤情報印刷物を受け取って前記搬器に投入する印刷物投入機構とを具備したものであり、
前記整理部材が前記受止部に付設されており、前記印刷物搬送経路の終端位置と前記印刷物投入機構の印刷物受取位置とが離隔しており、その間を前記受止部が移動するようになっていることを特徴とする。
【発明の効果】
【００１４】
このような本発明の薬剤情報印刷投入装置にあっては（解決手段１）、印刷物搬送経路を具現化するに際して挟持式ベルトコンベアを採用したうえで、印刷物搬送経路のうち落下経路に当たる縦の部分の途中で上下のプリンタの印刷物を合流させるために形成された開口やその近傍においてベルトの中継箇所が対向側で異なる謂わば段違い配置状態になるようにもしたことにより、具体的にはプリンタ寄りのベルトの不連続な部位である中継箇所において不連続部分の間隔を確保することで下方のプリンタの印刷物の投入用の開口を形成するとともにプリンタ寄りでない方のベルトについては開口より高い所から開口より低い所まで連なるようにしたことにより、薬剤情報印刷物が小さなラベルであってもベルトに巻き込まれることが殆ど無くなった。したがって、この発明によれば、挟持式ベルトコンベアが合流部でも薬剤情報印刷物を安定搬送しうる薬剤情報印刷投入装置をベルトの段違い配置にて実現することができ、その結果、上記の第１技術課題が解決される。
【００１５】
また、本発明の薬剤情報印刷投入装置にあっては（解決手段２）、ベルトコンベアの支持機構をプリンタ寄りの内側部分支持機構とプリンタ寄りでない外側部分支持機構とに分けたうえで、外側部分支持機構を印刷物搬送時用の対向位置からそうでない離隔位置へ動かせるようにもしたことにより、ベルトが段違い配置状態であっても必要時には簡単に而も素早く開くことができる印刷物搬送経路が簡素な機構で実現される。
したがって、この発明によれば、挟持式ベルトコンベアが合流部でも薬剤情報印刷物を安定搬送することができるうえ、対向ベルトが段違い配置されていても対向面を開けて行う保守作業等までも容易にできる薬剤情報印刷投入装置が実現される。
【００１６】
さらに、本発明の薬剤情報印刷投入装置にあっては（解決手段３）、受止部と印刷物投入機構とを具備した投入部に対して整理部材を追加するに際して、印刷物搬送経路の終端位置と印刷物投入機構の印刷物受取位置とを離隔させたことにより、そこに位置する受止部の周囲空間が広がるので、受止部に付設される整理部材に係る駆動機構等を装備するのに欲しい場所や空間を十分に確保することができる。しかも、そのように受止部と印刷物投入機構とが離れても、受止部が移動することで薬剤情報印刷物の引き継ぎは適切に遂行される。また、そのような受止部の移動に多少の時間が掛かっても、受止部が薬剤情報印刷物を印刷物搬送経路から受け取るタイミングと印刷物投入機構へ引き渡すタイミングとに時間差があるので、全体としては処理能力の低下を避けることができる。
したがって、この発明によれば、機構の偏在化や稠密化さらには投入速度の低下といった不所望な状態を招くことなく受止部に整理部材を付設することができ、その結果、上記の第１技術課題に加えて上記の第２技術課題までも解決される。
【図面の簡単な説明】
【００１７】
【図１】本発明の実施例１について、薬剤情報印刷投入装置の構造を示し、（ａ）が前扉を外した装置の正面図、（ｂ）が印刷物搬送機構の正面図、（ｃ）がベルトコンベアの正面図、（ｄ）がベルトコンベアをＸ方向に展開した正面図、（ｅ）がベルトコンベアをＹ方向にも展開した正面図である。
【図２】（ａ）が薬剤情報印刷投入装置の平面図と正面図、（ｂ）が前扉を開けた薬剤情報印刷投入装置に係る平面図と正面図である。
【図３】（ａ）が受入ガイドをベルトコンベアに寄せた薬剤情報印刷投入装置に係る平面図と正面図、（ｂ）が印刷物搬送機構を筐体から手前［反Ｚ方向］に引き出した薬剤情報印刷投入装置に係る平面図と正面図である。
【図４】引き出した印刷物搬送機構から更に外側部分上部のベルトコンベアをＺ方向へ揺動させるとともに外側部分下部のベルトコンベアを外側［反Ｘ方向］へ引き出した薬剤情報印刷投入装置に係る平面図と正面図である。
【図５】本発明の実施例２について、薬剤情報印刷投入装置の構造を示し、（ａ）は、受止部が印刷物搬送経路の終端位置に来ているところの正面図、（ｂ）は、受止部が印刷物投入機構の印刷物受取位置に来ているところの正面図、（ｃ）は投入部の斜視図、（ｄ）は印刷物投入機構の斜視図である。
【図６】（ａ）〜（ｄ）いずれも投入対象となりうる搬器の斜視図である。
【発明を実施するための形態】
【００１８】
このような本発明の薬剤情報印刷投入装置について、これを実施するための具体的な形態を、以下の実施例１〜２により説明する。
図１〜４に示した実施例１は、上述した解決手段１〜２（出願当初の請求項１〜２）を具現化したものであり、図５に示した実施例２は、上述した解決手段１〜３（出願当初の請求項１〜３）を具現化したものである。
なお、それらの図示に際しては、簡明化等のため、ボルト等の締結具や，ヒンジ等の連結具，タイミングベルト等の伝動部材，モータドライバ等の電気回路，コントローラ等の電子回路などは図示を割愛し、発明の説明に必要なものや関連するものを中心に図示した。さらに、煩雑になる部材形状の詳細な図示は割愛し、簡略化して模式的に図示した。
【実施例１】
【００１９】
本発明の薬剤情報印刷投入装置の実施例１について、その具体的な構成を、図面を引用して説明する。
【００２０】
図１（ａ）は、前扉を取り外した薬剤情報印刷投入装置１０の正面図であり、図２（ａ）は、薬剤情報印刷投入装置１０の平面図と正面図であり、図２（ｂ）は、前扉を開けた薬剤情報印刷投入装置１０の平面図と正面図である。
また、図１（ｂ）は、印刷物搬送機構１４の正面図であり、図１（ｃ）は、そのうちのベルト２２，３２，４２，５２に係る正面図であり、図１（ｄ）は、それらのベルトを左右に離した展開図であり、図１（ｅ）は更に上下にも離した展開図である。
【００２１】
薬剤情報印刷投入装置１０は（図１（ａ），図２参照）、縦長の筐体の内部に、模式的に図示した上段プリンタ１１と下段プリンタ１２と搬器搬送機構１３と印刷物搬送機構１４と投入部６０と、図示しないコントローラと電源とを装備している。
複数のプリンタ１１，プリンタ１２は、何れも印刷用紙に薬剤情報を印刷するものであり、上下に配置されている。それら１１，１２は、機能や性能の同じプリンタであることが必須ではないが代用の観点から好ましく、ラベルロール紙の貼付用ラベルに収集薬剤の名称などを印刷してから印刷単位で切り離して送り出す既述のものが多用されるが（例えば特許文献３参照）、薬剤情報印刷物を作成できれば他のプリンタでも良い。
【００２２】
搬器搬送機構１３は（図１（ａ），図２（ｂ）参照）、例えば横置きのベルトコンベア等からなり、薬剤の搬器７を上面に載せてＸ方向へ横送りすることで、搬器７を上流の薬剤払出装置５（搬器供給装置）から受け入れて下流の搬器収納装置６へ送り出すようになっている。
しかも、印刷物搬送機構１４から送り出された薬剤情報印刷物を搬送中の搬器７に投入してもらうために、搬器搬送機構１３は、搬器７を搬送している途中に、搬器７を投入部６０の下方で、搬送を一時停止するようにもなっている。
【００２３】
印刷物搬送機構１４は（図１参照）、上から下へ連なるベルトコンベア２０，３０，４０，５０を具備していて、上段プリンタ１１で作成された薬剤情報印刷物も、下段プリンタ１２で作成された薬剤情報印刷物も、下方の投入部６０へ送るようになっている。
それらのベルトコンベア２０〜５０は（図１（ｂ）〜（ｅ）参照）、常態では、対向配置された両ベルトの間に搬送対象物（薬剤情報印刷物）を挟んで搬送するものであり、その上側部分では、コンベア枠２１で縦向きに保持されたベルトコンベア２０のベルト２２の対向部２３と、コンベア枠３１で同じく縦向きに保持されたベルトコンベア３０のベルト３２の対向部３３とが対向している。
【００２４】
また（図１（ｂ）〜（ｅ）参照）、ベルトコンベア２０〜５０の下側部分では、コンベア枠４１で保持されていて縦から横に向きを変えるベルトコンベア４０のベルト４２の対向部４３と、コンベア枠５１で保持されていて同じく縦から横に向きを変えるベルトコンベア５０のベルト５２の対向部５３とが対向している。しかも、上述したベルト３２の対向部３３のうち下端寄りの部分は、やはり上述したベルト４２の対向部４３のうち上端寄りの部分とも、対向している。そして、それらのベルト対向部分が軽く当接しあうため、駆動側のベルトコンベア２０，４０が図示しない電動モータ等で駆動されて循環運動すると、従動側のベルトコンベア３０，５０も追従して循環運動するので、印刷物搬送経路２３＋３３＋４３＋５３は、稼動時に薬剤情報印刷物をベルト対向部分に挟持して下方へ搬送するものとなっている。
【００２５】
さらに（図１（ｂ）〜（ｅ）参照）、ベルト３２の上端支軸３４がベルト２２の上端支軸２４より高い所に装備されるとともに、ベルト２２の上端支軸２４の直ぐ上に受入ガイド２６が装備されていて、上段プリンタ１１から送り出された薬剤情報印刷物が受入ガイド２６を介してベルトコンベア２０，３０の対向部２３，３３へ送り込まれるようになっている。また、ベルト２２の下端支軸２５とベルト４２の上端支軸４４との間がベルト３２の下端支軸３５とベルト５２の上端支軸５４との間よりも離れていて、ベルト２２の下端とベルト４２の上端との間に、ベルトの不連続による開口１５が形成されている。
【００２６】
しかも、その開口１５のところに受入ガイド４６が装備されて、下段プリンタ１２から送り出された薬剤情報印刷物が受入ガイド４６と開口１５とを介してベルトコンベア３０，４０の対向部３３，４３へ送り込まれるようになっているので、そこは、印刷物搬送経路２３＋３３＋４３＋５３のうち落下経路に当たる部分の途中に設けられた合流部に該当する。そして、その合流部では、下段プリンタ１２の印刷物を受け入れて上段プリンタ１１の印刷物の落下経路へ導き入れることが行われるようになっているが、印刷物搬送経路２３＋３３＋４３＋５３を成すベルトのうち開口１５の対向側に位置するベルト３２が開口１５の上端より上から開口１５の下端より下まで連続しているため、印刷物搬送経路のうち開口１５の奥側には、ベルト３２の対向部３３が真っ直ぐ縦になっている。
【００２７】
そのような印刷物搬送経路２３＋３３＋４３＋５３の終端部は、下段プリンタ１２より更に下方に位置するが搬器搬送機構１３よりは上方に位置していて、挟持搬送した薬剤情報印刷物を投入部６０へ引き渡す所なので、そこに臨むベルトコンベア４０の右下端部には、連結させて又は近接させて投入部６０が設けられるとともに、薬剤情報印刷物の投入部６０への引渡やその後の投入の円滑化を助けるイオンナイザ４７等の静電気除去手段が付設されている。本例では、投入部６０は、印刷物搬送機構１４から引き渡された薬剤情報印刷物を搬器７のどこかに投入すれば良いので、短い曲管や筒体の様なもので良い。
【００２８】
この実施例１の薬剤情報印刷投入装置１０について、その使用態様及び動作を、図面を引用して説明する。図１（ａ）は、薬剤情報印刷投入装置１０に対して左から薬剤払出５を連ねるとともに右から搬器収納装置６を連ねたシステムに係る正面図である。
薬剤情報印刷投入装置１０は、図示しない上位の管理コンピュータ等から図示しない自己のコントローラに調剤指示データが送信されてくると、その指示に応じたコントローラの制御の下で、図示しないセンサの検出等に基づき、図示しない電動モータ等を作動させることで、以下の動作を行う。
【００２９】
すなわち、搬器７が上流［反Ｘ方向］の薬剤払出装置５から搬器搬送機構１３に送り込まれると、その搬器７を下流［Ｘ方向］に向けて搬器搬送機構１３にて搬送し、搬器７が投入部６０の下に来たら搬送を一旦止める（図１（ａ）参照）。それから、調剤指示データに基づいて必要な薬剤情報印刷物を上段プリンタ１１と下段プリンタ１２とにて作成するとともに、ベルトコンベア２０，４０の駆動を開始する。そうすると、ベルトコンベア３０，５０が従動を開始して、印刷物搬送経路２３＋３３＋４３＋５３が挟持搬送を行うので、上段プリンタ１１で作成された薬剤情報印刷物は受入ガイド２６にて印刷物搬送経路２３＋３３＋４３＋５３に導かれて下方へ運ばれる。
【００３０】
また、下段プリンタ１２で作成された薬剤情報印刷物は、受入ガイド４６にて上記の印刷物搬送経路の途中の開口１５へ導かれる。そして、開口１５の先に位置するベルト３２の対向部３３によって薬剤情報印刷物の先頭部分が下方へ引かれるとともに、その引きによってベルト４２の上端に薬剤情報印刷物の先頭部分の下面が押しつけられることから、その薬剤情報印刷物は、ベルト３２の対向部３３とベルト４２の対向部４３との間へ無理なく引き込まれるので、薬剤情報印刷物の姿勢の乱れが抑えられるとともに、印刷物搬送経路２３＋３３＋４３＋５３への合流が円滑になされて、やはり印刷物搬送経路２３＋３３＋４３＋５３にに導かれて下方へ運ばれる。
【００３１】
こうして、この薬剤情報印刷投入装置１０にあっては、上下のプリンタ１１，１２の何れで作成された薬剤情報印刷物も、印刷物搬送経路２３＋３３＋４３＋５３の挟持搬送にて円滑かつ的確に投入部６０へ搬送されて、そこから搬器７へ投入される。
薬剤情報印刷物を作成するプリンタ１１，１２が複数台なので、並行動作にて印刷速度を向上させることや交互動作にてプリンタ寿命を延ばすことができるうえ、一方のプリンタが用紙切れや故障などで動作を停止しても他方のプリンタで印刷処理を継続することができる。
【００３２】
なお、そのような並行動作や交互動作については、単純に行うと両プリンタ１１，１２が同時や近時に寿命を迎える確率の高くなるという不都合も考えられるが、そのような動作は薬剤情報印刷物の作成量が多いときに限定し、薬剤情報印刷物の作成量がさほど多くないときには、一方のプリンタを優先的に動作させて他方のプリンタを予備的に用いるといった使用法も併用することで、簡便に、上記の不都合を回避することができる。
【００３３】
この実施例１の薬剤情報印刷投入装置１０について、印刷物搬送機構１４の保守作業等の容易化に寄与する構成部分や作業手順などを、図面を引用して説明する。
図２（ａ），図２（ｂ），図３（ａ），図３（ｂ），図４は、何れも、薬剤情報印刷投入装置１０の平面図と正面図である。
【００３４】
それらの図のうち、図２（ａ）は、前扉を閉めた状態を示し、図２（ｂ）は、前扉を開けた状態を示している。また、図３（ａ）は、受入ガイド２６，４６をベルトコンベア２０〜６０に寄せた状態を示し、図３（ｂ）は、印刷物搬送機構１４を筐体から手前［反Ｚ方向］に引き出した状態を示している。
さらに、図４は、引き出した印刷物搬送機構１４から、外側部分上部のベルトコンベア３０を左後方［反Ｘ方向・Ｚ方向］へ揺動させるとともに、外側部分下部のベルトコンベア５０を外側［反Ｘ方向］へ引き出した状態を示している。
【００３５】
一群のベルトコンベア２０，３０，４０，５０は、常態では一連の印刷物搬送経路２３＋３３＋４３＋５３を形成するようにベルトコンベア支持機構によって筐体内に支持されているが（図２，図３（ａ）参照）、その支持機構は、図示の簡明化のため一部分５６，５７，５８を略記するにとどめたが（図３（ｂ），図４参照）、ベルトコンベア２０〜６０を纏めて手前［反Ｚ方向］へ進退可能に支持する引出機構５６と、奥側［Ｚ方向］で引出機構５６とベルトコンベア３０とを連結していてベルトコンベア３０を左後方［反Ｘ方向・Ｚ方向］へ揺動可能に支持する軸支機構５７と、ベルトコンベア５０を引出機構５６から左［反Ｘ方向］へ進退可能に支持する引出機構５８とを具備している。
【００３６】
それらのうち引出機構５６は、左右から向き合う形で対向配置された両ベルト（すなわち左方［反Ｘ方向］のベルト３２，５２と、右方［Ｘ方向］のベルト２２，４２）とのうち、プリンタ１１，１２に近い右方のベルト２２，４２方を支持する内側部分支持機構を、引出部（進退部）に固定する取り付け態様で、具備している。
これに対し、軸支機構５７と引出機構５８は、両ベルト３２，５２及び２２，４２のうちプリンタ１１，１２から遠い左方のベルト３２，５２を支持する外側部分支持機構に該当する。そして、軸支機構５７がベルトコンベア３０の揺動を可能とすることにより、また引出機構５８がベルトコンベア５０の直線移動を可能とすることにより、プリンタから遠い方のベルト３２，５２がプリンタに近い方のベルトベルト２２，４２に対して当接する対向位置と当接しない離隔位置との間を移動することができるようになっている。
【００３７】
このような薬剤情報印刷投入装置１０にあっては、清掃等のため印刷物搬送経路２３＋３３＋４３＋５３を開けることが必要になったときは、先ず装置の動作停止や電力供給断等の安全状態を確認してから（図２（ａ）参照）、前扉を開けて印刷物搬送機構１４の前面を解放し（図２（ｂ）参照）、それから受入ガイド２６，４６を揺動させるなどしてプリンタ支持部材の非干渉位置へ退避させ（図３（ａ）参照）、それから印刷物搬送機構１４を手前へ引いて筐体から出し（図３（ｂ）参照）、それからベルトコンベア３０を左後方［反Ｘ方向・Ｚ方向］へ揺動させ、更にベルトコンベア５０を左方［反Ｘ方向］へ引き出すと良い。その後、元に戻すときは、上述したのと逆順に作業すれば良い。
【実施例２】
【００３８】
本発明の薬剤情報印刷投入装置の実施例２について、その具体的な構成を、図面を引用して説明する。図５（ａ），（ｂ）は、何れも、前扉を取り外した薬剤情報印刷投入装置７０の正面図であり、そのうち図５（ａ）は投入部８０の受止部８３〜８６が印刷物搬送経路２３＋３３＋４３＋５３の終端位置に来ている状態を示し、図５（ｂ）は受止部８３〜８６が印刷物投入機構９０の印刷物受取位置に来ている状態を示している。
また、図５（ｃ）は、投入部８０の外観斜視図であり、図５（ｄ）は、印刷物投入機構９０の外観斜視図である。
【００３９】
この薬剤情報印刷投入装置７０が上述した実施例１の薬剤情報印刷投入装置１０と相違するのは、上述の投入部６０に代えて投入部８０＋９０が導入された点である。
この新たな投入部８０＋９０は、図示しない適宜な枠部材等に取り付けられて印刷物搬送経路２３＋３３＋４３＋５３の後端の所に位置する印刷物受止移送機構８０と、そこから搬器送り方向（図５（ａ），（ｂ）では右方）へ離れた所でやはり適宜な枠部材等に取り付けられている印刷物投入機構９０を具備しており、印刷物搬送経路２３＋３３＋４３＋５３の終端位置と印刷物投入機構９０の印刷物受取位置とが離隔している。
【００４０】
印刷物受止移送機構８０は（図５（ａ）〜（ｃ）参照）、進退駆動機構８１と受止部保持部材８２と底板８３と前板８４と横板８５，８５と後板８６と横板駆動機構８７と後板駆動機構８８とを具備したものである。
そのうち底板８３と前板８４と横板８５，８５と後板８６とによって受止部８３〜８６が構成されるとともに、横板８５，８５と後板８６と横板駆動機構８７と後板駆動機構８８とによって整理機構８５〜８８が構成されている。しかも、それらのうち、横板８５，８５と後板８６は、薬剤情報印刷物に対して直に作用する整理部材に該当するものであり、受止部８３〜８６に対して組み込み態様で付設されている。
【００４１】
受止部８３〜８６は、印刷物搬送経路２３＋３３＋４３＋５３の終端から放出された薬剤情報印刷物を受け取るものであり、そのために、底板８３と、その前端部に固定されて立っている前板８４と、底板８３の左右に立つ二枚の横板８５，８６と、底板８３の後部に立つ後板８６とを具備していて、上面解放の浅い箱体に近い形の物になっている。
底板８３の一部には受止部８３〜８６の中の薬剤情報印刷物を印刷物投入機構９０に掴持させるための切欠８９が形成されている。
【００４２】
整理機構８５〜８８は、上述した二枚の横板８５，８５と、その対向距離を拡縮する横板駆動機構８７と、上述した後板８６と、それを上述の前板８４に向けて進退させる後板駆動機構８８とからなり、コントローラの制御によって、受止部８３〜８６の中の薬剤情報印刷物が一枚であれ複数枚であれ、薬剤情報印刷物を前板８４の中央部に寄せることで薬剤情報印刷物の向きを揃えるようになっている。
【００４３】
このような整理機構８５〜８８と上述した受止部８３〜８６とが受止部保持部材８２の両端部のうち印刷物投入機構９０寄りの端部に装備されているうえ、受止部保持部材８２が進退駆動機構８１によって印刷物投入機構９０へ向けて進退させられるようになっているので、受止部８３〜８６は印刷物搬送経路２３＋３３＋４３＋５３の終端位置と印刷物投入機構９０の印刷物受取位置との間を移動しうるものとなっている。
このような印刷物受止移送機構８０には、進退駆動機構８１と横板駆動機構８７と後板駆動機構８８という三つの駆動部材が組み込まれている。
【００４４】
印刷物投入機構９０は（図５（ａ），（ｂ），（ｄ）参照）、その印刷物受取位置に来た受止部８３〜８６から薬剤情報印刷物を受け取って搬器７へ投入するものであり、そのために、前後に長い固定の前後動ガイド９１と、それに固定装備された前後動駆動部９２と、これによって前後方向へ直線移動させられる前後動部材９３と、これに固定装備された縦長の昇降ガイド９４と、これに固定装備された昇降駆動部９５と、これによって上下方向へ直線移動させられる掴持駆動部９６と、これによって掴持作用部を開閉させられる掴持部材９７とを具備している。掴持駆動部９６は掴持部材９７の旋回駆動（揺動駆動）も担っている。このような印刷物投入機構９０には、前後動駆動部９２と、昇降駆動部９５と、掴持駆動部９６の掴持駆動部材と、掴持駆動部９６の旋回駆動部材という四つの駆動部材が組み込まれている。
【００４５】
この場合、コントローラの制御に従い、一枚の又は複数枚の薬剤情報印刷物が、上下のプリンタ１１，１２によって作成され、印刷物搬送機構１４によって下方へ挟持搬送されるとともに、印刷物受止移送機構８０では受止部８３〜８６が横板８５，８５同士の間も前板８４と後板８６との間も広げた状態でベルトコンベア５０の終端に位置して薬剤情報印刷物の到来を待つ（図５（ａ）参照）。そして、印刷物搬送機構１４から放出された薬剤情報印刷物が総て受止部８３〜８６に収まると、横板８５，８５の間も前板８４と後板８６との間も薬剤情報印刷物のサイズに合わせて縮められるので、薬剤情報印刷物が一枚であれ複数枚であれ、その向きが底板８３や前板８４に対して揃えられる。
【００４６】
それから、受止部８３〜８６が右方へ移動してから印刷物投入機構９０の印刷物受取位置に到達したところで停止し（図５（ｂ）参照）、その受止部８３〜８６の切欠８９のところへ掴持部材９７が移動して掴持動作を行うので、薬剤情報印刷物が受止部８３〜８６から掴持部材９７へ引き渡される。それから、掴持部材９７が上昇等にて退避し、受止部８３〜８６がベルトコンベア５０に向けて戻り始めると、掴持部材９７が搬器搬送機構１３の上方へ移動し、搬器７の到着と位置決めとを待って、掴持部材９７から搬器７の中へ薬剤情報印刷物が投入される。その際、搬器７が区画分けされたものであれば何れか該当する区画に対して薬剤情報印刷物が投入される。その後は、掴持部材９７も受止部８３〜８６も初期位置に戻り、搬器７の中の残り総ての対象区画に対し同様にして薬剤情報印刷物が投入され、投入完了後の搬器７が搬器搬送機構１３によって送り出される。
【００４７】
［その他］
上記実施例１の薬剤情報印刷投入装置１０は、受入ガイド２６，４６そのものに手を掛けて揺動させるようになっていたが（図２（ｂ），図３（ａ）参照）、プリンタ支持部材などが邪魔をして受入ガイド２６，４６に対して直に手を掛けるのが難しいような場合は、受入ガイド２６，４６それぞれについて、プリンタ支持部材より手前にハンドル等の操作部材を設けて対応する受入ガイドに連結しておくと良い。
上記実施例２の薬剤情報印刷投入装置７０では、掴持駆動部９６が掴持部材９７の開閉駆動に加えて掴持部材９７の旋回駆動（揺動駆動）までも担っていたが、それらの駆動機能は別体の駆動部にて具現化されていても良い。
【００４８】
上記実施例１の薬剤情報印刷投入装置１０が薬剤情報印刷物を投入する搬器７として好適なものは区画分けのないシンプルな箱体であるが（図６（ａ）参照）、投入部６０の下端開口をＸ方向に狭めた装置では、Ｘ方向に区画分けされた搬器７に対しても区分投入することができる（図６（ｂ）参照）。
これに対し、上記実施例２の薬剤情報印刷投入装置７０は、それらの搬器に加えて、Ｘ方向の区画分けが細分化された搬器７や（図６（ｃ）参照）、Ｚ方向に区画分けされた搬器７に対しても（図６（ｄ）参照）、薬剤情報印刷物を的確に投入することができる。
【産業上の利用可能性】
【００４９】
本発明の薬剤情報印刷投入装置は、二台より多くのプリンタを装備したものにも適用することができる。
【符号の説明】
【００５０】
５…薬剤払出装置（搬器供給装置）、６…搬器収納装置、７…搬器、
１０…薬剤情報印刷投入装置、
１１…上段プリンタ（上方のプリンタ）、１２…下段プリンタ（下方のプリンタ）、
１３…搬器搬送機構、１４…印刷物搬送機構、１５…開口（合流部）、
２３＋３３＋４３＋５３…印刷物搬送経路、
２０…ベルトコンベア（内側部分上部）、
２１…コンベア枠（内側部分支持機構）、２２…ベルト、
２３…対向部（挟持部，搬送経路形成部）、２４…上端支軸、２５…下端支軸、
２６…受入ガイド、
３０…ベルトコンベア（外側部分上部）、
３１…コンベア枠（外側部分支持機構）、３２…ベルト、
３３…対向部（挟持部，搬送経路形成部）、３４…上端支軸、３５…下端支軸、
４０…ベルトコンベア（内側部分下部）、
４１…コンベア枠（内側部分支持機構）、４２…ベルト、
４３…対向部（挟持部，搬送経路形成部）、４４…上端支軸、４５…下端支軸、
４６…受入ガイド、４７…イオナイザ、
５０…ベルトコンベア（外側部分下部）、
５１…コンベア枠（外側部分支持機構）、５２…ベルト、
５３…対向部（挟持部，搬送経路形成部）、５４…上端支軸、５５…下端支軸、
５６…引出機構、５７…軸支機構、５８…引出機構、
６０…投入部、
７０…薬剤情報印刷投入装置、
８０＋９０…投入部、
８０…印刷物受止移送機構、
８１…進退駆動機構、８２…受止部保持部材、
８３〜８６…受止部、８３…底板、８４…前板、
８５〜８８…整理機構、８５…横板（整理部材）、８６…後板（整理部材）、
８７…横板駆動機構、８８…後板駆動機構、８９…切欠、
９０…印刷物投入機構、
９１…前後動ガイド、９２…前後動駆動部、９３…前後動部材、
９４…昇降ガイド、９５…昇降駆動部、９６…掴持駆動部、９７…掴持部材
【図１】
2020172316.tif 000003
【図２】
2020172316.tif 000004
【図３】
2020172316.tif 000005
【図４】
2020172316.tif 000006
【図５】
2020172316.tif 000007
【図６】
2020172316.tif 000008